(57)【要約】  本発明は同期方法及び装置を開示し、Ｖ２Ｖ通信システムのノードの同期方式及び同期レベルを区分させ、Ｖ２Ｖ通信システムの同期を快速に達成させる。本発明に係る同期方法は、本ノードの同期プライオリティを決定するステップと、本ノードの同期プライオリティに基づき、本ノードに用いられる同期シーケンス及び本ノードの区分フラグ値を決定するステップとを備え、前記区分フラグ値は、本ノードがＧＮＳＳ同期方式であるかｅＮＢ同期方式であるかを区分するためのものである。
2019505128.tif 000002
【特許請求の範囲】
【請求項１】
本ノードの同期プライオリティを決定するステップと、
本ノードの同期プライオリティに基づき、本ノードに用いられる同期シーケンス及び本ノードの区分フラグ値を決定するステップであって、前記区分フラグ値は、本ノードがＧＮＳＳ同期方式であるかｅＮＢ同期方式であるかを区分するためのものである、決定するステップとを備えることを特徴とする同期方法。
【請求項２】
前記本ノードの同期プライオリティを決定するステップは、本ノードの同期プライオリティを所定の第１プライオリティ、第２プライオリティ、第３プライオリティまたは第４プライオリティとして決定することを特徴とする請求項１に記載の同期方法。
【請求項３】
本ノードの同期プライオリティに基づき、本ノードに用いられる同期シーケンス及び本ノードの区分フラグ値を決定するステップは、
本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定し、
本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定し、
本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定し、
本ノードの同期プライオリティが第４プライオリティである場合、本ノードの区分フラグ値をＦａｌｓｅとして決定し、かつ、以下の手段で本ノードに用いられる同期シーケンスを決定し、
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８であり、
手段２：本ノードの同期リファレンスノードが第３プライオリティのノードである場合、本ノードの同期シーケンスを固定値Ｘ３と設定し、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが同期リファレンスシーケンスに用いられる同期シーケンスと同様であり、
手段４：本ノードが独立な同期ソースである場合、Ｘ１及びＸ２以外の[１６８, ３３５]範囲内でランダムに１つの値を選出した本ノードの同期シーケンスとすることを特徴とする請求項２に記載の同期方法。
【請求項４】
本ノードの同期プライオリティに基づき、本ノードに用いられる同期シーケンス及び本ノードの区分フラグ値を決定するステップは、
本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定し、
本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定し、
本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定し、
本ノードの同期プライオリティが第４プライオリティである場合、本ノードの区分フラグ値とＴｒｕｅとして決定し、かつ、以下の手段で本ノードに用いられる同期シーケンスを決定し、
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８であり、
手段２：本ノードの同期リファレンスノードが第３プライオリティのノードである場合、本ノードの同期シーケンスはｉｄ_ｏｏｎ内の同期シーケンスであり、固定値Ｘ２+１６８とされ、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが同期リファレンスシーケンスに用いられる同期シーケンスと同様であり
手段４：本ノードが独立な同期ソースである場合、[１６８, ３３５]範囲内でランダムに１つの値を選出した本ノードの同期シーケンスとすることを特徴とする請求項２に記載の同期方法。
【請求項５】
本ノードの同期プライオリティが第１プライオリティである場合、本ノードに用いられる同期シーケンスは、ｅＮＢを介してシステム情報により設定されることを特徴とする請求項３または請求項４に記載の同期方法。
【請求項６】
本ノードの同期プライオリティを決定する第１ユニットと、
本ノードの同期プライオリティに基づき、本ノードに用いられる同期シーケンス及び本ノードの区分フラグ値を決定し、前記区分フラグ値は、本ノードがＧＮＳＳ同期方式であるかｅＮＢ同期方式であるかを区分するためのものである第２ユニットとを備えることを特徴とする同期装置。
【請求項７】
前記第１ユニットは、本ノードの同期プライオリティを所定の第１プライオリティ、第２プライオリティ、第３プライオリティまたは第４プライオリティとして決定することを特徴とする請求項６に記載の同期装置。
【請求項８】
前記第２ユニットは、
本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定し、
本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定し、
本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定し、
本ノードの同期プライオリティが第４プライオリティである場合、本ノードの区分フラグ値をＦａｌｓｅとして決定し、かつ、以下の手段で本ノードに用いられる同期シーケンスを決定し、
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８であり、
手段２：本ノードの同期リファレンスノードが第３プライオリティのノードである場合、本ノードの同期シーケンスを固定値Ｘ３と設定し、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが同期リファレンスシーケンスに用いられる同期シーケンスと同様であり、
手段４：本ノードが独立な同期ソースである場合、Ｘ１及びＸ２以外の[１６８, ３３５]範囲内でランダムに１つの値を選出した本ノードの同期シーケンスとすることを特徴とする請求項７に記載の同期装置。
【請求項９】
前記第２ユニットは、
本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定し、
本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定し、
本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定し、
本ノードの同期プライオリティが第４プライオリティである場合、本ノードの区分フラグ値とＴｒｕｅとして決定し、かつ、以下の手段で本ノードに用いられる同期シーケンスを決定し、
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８であり、
手段２：本ノードの同期リファレンスノードが第３プライオリティのノードである場合、本ノードの同期シーケンスはｉｄ_ｏｏｎ内の同期シーケンスであり、固定値Ｘ２+１６８とされ、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが同期リファレンスシーケンスに用いられる同期シーケンスと同様であり、
手段４：本ノードが独立な同期ソースである場合、[１６８, ３３５]範囲内でランダムに１つの値を選出した本ノードの同期シーケンスとすることを特徴とする請求項７に記載の同期装置。
【請求項１０】
本ノードの同期プライオリティが第１プライオリティである場合、前記第２ユニットにより決定された本ノードに用いられる同期シーケンスは、ｅＮＢを介してシステム情報により設定されることを特徴とする請求項８または請求項９に記載の同期装置。
【請求項１１】
同期装置であって、プロセッサを備え、
前記プロセッサは、メモリに格納されたプログラムを読み出して、本ノードの同期プライオリティを決定し、
本ノードの同期プライオリティに基づき、本ノードに用いられる同期シーケンス及び本ノードの区分フラグ値を決定し、前記区分フラグ値は、本ノードがＧＮＳＳ同期方式であるかｅＮＢ同期方式であるかを区分するためのものであることを特徴とする同期装置。
【請求項１２】
前記プロセッサは、本ノードの同期プライオリティを所定の第１プライオリティ、第２プライオリティ、第３プライオリティまたは第４プライオリティとして決定することを特徴とする請求項１１に記載の同期装置。
【請求項１３】
前記プロセッサは、
本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定し、
本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定し、
本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定し、
本ノードの同期プライオリティが第４プライオリティである場合、本ノードの区分フラグ値をＦａｌｓｅとして決定し、かつ、以下の手段で本ノードに用いられる同期シーケンスを決定し、
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８であり、
手段２：本ノードの同期リファレンスノードが第３プライオリティのノードである場合、本ノードの同期シーケンスを固定値Ｘ３と設定し、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが同期リファレンスシーケンスに用いられる同期シーケンスと同様であり、
手段４：本ノードが独立な同期ソースである場合、Ｘ１及びＸ２以外の[１６８, ３３５]範囲内でランダムに１つの値を選出した本ノードの同期シーケンスとすることを特徴とする請求項１２に記載の同期装置。
【請求項１４】
前記プロセッサは、
本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定し、
本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定し、
本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定し、
本ノードの同期プライオリティが第４プライオリティである場合、本ノードの区分フラグ値とＴｒｕｅとして決定し、かつ、以下の手段で本ノードに用いられる同期シーケンスを決定し、
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８であり、
手段２：本ノードの同期リファレンスノードが第３プライオリティのノードである場合、本ノードの同期シーケンスはｉｄ_ｏｏｎ内の同期シーケンスであり、固定値Ｘ２+１６８とされ、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが同期リファレンスシーケンスに用いられる同期シーケンスと同様であり、
手段４：本ノードが独立な同期ソースである場合、[１６８, ３３５]範囲内でランダムに１つの値を選出した本ノードの同期シーケンスとすることを特徴とする請求項１２に記載の同期装置。
【請求項１５】
本ノードの同期プライオリティが第１プライオリティである場合、前記プロセッサにより決定された本ノードに用いられる同期シーケンスは、ｅＮＢを介してシステム情報により設定されることを特徴とする請求項１３または請求項１４に記載の同期装置。
【発明の詳細な説明】
【技術分野】
【０００１】
本発明は通信技術分野に関し、特に同期方法及び装置に関する。
【背景技術】
【０００２】
Ｖ２Ｖ（Ｖｅｈｉｃｌｅ−ｔｏ− Ｖｅｈｉｃｌｅ，Ｖ２Ｖ）通信において、（Ｇｌｏｂａｌ Ｎａｖｉｇａｔｉｏｎ Ｓａｔｅｌｌｉｔｅ Ｓｙｓｔｅｍ，ＧＮＳＳ）の導入により、Ｄ２Ｄ（Ｄｅｖｉｃｅ ｔｏ Ｄｅｖｉｃｅ）システムと比べ、システム内の同期精度レベルがより多様となった。タイミングは基地局を参照して同期スキームを形成することができ、また、ＧＮＳＳを直接に参照して同期スキームを形成することもできる。今までに、端末を補助して自分のスキームを確立するための適合のメカニズムがまだ有しないし、そして、端末を補助して自分の同期レベルを確定してその後のタイミング調整動作を行う適合の方法も有しない。
【０００３】
車両・道路調整システムは、無線通信などの技術に通じて車両・道路情報を取得し、車両・車両、車両・道路情報の交換及び共有により、車両とインフラ間のインテリジェントに協調・協力し、システムリソースの利用を最適化し、路面交通安全を向上し、交通渋滞を緩和することができる、広義のモノのインターネットシステムであり、また、将来の高度道路交通の進展方向である。
【０００４】
現在、３ＧＰＰ標準の研究において、Ｄ２Ｄ通信の標準規格の規定はすでに完成され、３つの同期レベルに分けられ、図１に示すように、基地局のカバレッジ範囲内の端末はレベル１に位置し、部分的に基地局のカバレッジ範囲にいる端末はレベル２に位置する、基地局のカバレッジ範囲以外の端末はレベル３に位置する。このような３つのレベルは、ＳＬＳＳ（Ｓｉｄｅ Ｌｉｎｋ Ｓｙｎｃｈｒｏｎｉｚａｔｉｏｎ Ｓｉｇｎａｌ）同期シーケンス及びｉｎ ｃｏｖｅｒａｇｅフラグ値により区分される。
【０００５】
具体的には、カバレッジ範囲内の端末は、ｉｄ_ｎｅｔ集合内の同期シーケンスを送信し、この際、ｉｎ ｃｏｖｅｒａｇｅフラグがｔｒｕｅであり、部分的に基地局のカバレッジ範囲にいる端末が送信した同期シーケンスは、選択した同期リファレンスＵＥの送信シーケンスと同様であり、そのｉｎ ｃｏｖｅｒａｇｅフラグはＦａｌｓｅである。基地局のカバレッジ範囲以外の端末は、３つの場合に分けて説明する。選択した同期リファレンスＵＥが部分的に基地局のカバレッジ範囲にいる端末である場合、基地局のカバレッジ範囲以外の端末が送信した同期シーケンス値は、リファレンスＵＥが送信したシーケンス値+１６８であり、かつ、ｉｎ ｃｏｖｅｒａｇｅフラグはＦａｌｓｅである。選択した同期リファレンスＵＥが基地局のカバレッジ範囲以外の端末である場合、基地局のカバレッジ範囲以外の端末が送信した同期シーケンスは、選択したリファレンスＵＥが送信したシーケンスと同様であり、そのｉｎ ｃｏｖｅｒａｇｅフラグはＦａｌｓｅである。基地局のカバレッジ範囲以外の端末が同期リファレンスＵＥを選択していない場合、ｉｄ_ｏｏｎ集合からいずれかのシーケンスを選出して自分の同期シーケンスとして送信し、また、ｉｎ ｃｏｖｅｒａｇｅフラグはＦａｌｓｅである。
【０００６】
車両のインターネットの通信に２つの同期方式があり、１つ目はＧＮＳＳを参考するタイミングであり、他の１つは基地局を参考するタイミングである。Ｄ２Ｄ通信に、ＧＮＳＳ参考のＵＥを考慮せず、基地局のみを参考して、基地局のタイミングを伝送するため、車両のインターネットシステムの新しい同期問題は解決できない。
【発明の概要】
【発明が解決しようとする課題】
【０００７】
本発明に係る実施例は同期方法及び装置を提供し、Ｖ２Ｖ通信システムにおけるノードの同期方式及び同期レベルを区分できるようにさせ、Ｖ２Ｖ通信システムにおける同期を快速に達成する。
【課題を解決するための手段】
【０００８】
本発明に係る実施例の同期方法は、
本ノードの同期プライオリティを決定するステップと、
本ノードの同期プライオリティに基づき、本ノードに用いられる同期シーケンス及び本ノードの区分フラグ値を決定するステップであって、前記区分フラグ値は、本ノードがＧＮＳＳ同期方式であるかｅＮＢ同期方式であるかを区分するためのものである、決定するステップとを備える。
【０００９】
当該方法によれば、本ノードの同期プライオリティを決定し、本ノードの同期プライオリティに基づき、本ノードに用いられる同期シーケンス及び本ノードの区分フラグ値を決定し、前記区分フラグ値は、本ノードがＧＮＳＳ同期方式であるかｅＮＢ同期方式であるかを区分するためのものである。こうして、Ｖ２Ｖ通信における各々ノードの同期方式を同期レベルを区分させることができるようになり、Ｖ２Ｖ通信システムの同期を快速に達成させる。
【００１０】
好ましくは、前記本ノードの同期プライオリティを決定するステップは、
本ノードの同期プライオリティを所定の第１プライオリティ、第２プライオリティ、第３プライオリティまたは第４プライオリティとして決定する。
【００１１】
好ましくは、本ノードの同期プライオリティに基づき、本ノードに用いられる同期シーケンス及び本ノードの区分フラグ値を決定するステップは、
本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定し、
本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定し、
本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定し、
本ノードの同期プライオリティが第４プライオリティである場合、本ノードの区分フラグ値をＦａｌｓｅとして決定し、かつ、以下の手段で本ノードに用いられる同期シーケンスを決定し、
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８であり、
手段２：本ノードの同期リファレンスノードが第３プライオリティのノードである場合、本ノードの同期シーケンスを固定値Ｘ３と設定し、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様であり、
手段４：本ノードが独立な同期ソースである場合、Ｘ１及びＸ２以外の[１６８, ３３５]範囲内でランダムに１つの値を選出した本ノードの同期シーケンスとする。
【００１２】
好ましくは、本ノードの同期プライオリティに基づき、本ノードに用いられる同期シーケンス及び本ノードの区分フラグ値を決定するステップは、
本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定し、
本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定し、
本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定し、
本ノードの同期プライオリティが第４プライオリティである場合、本ノードの区分フラグ値とＴｒｕｅとして決定し、かつ、以下の手段で本ノードに用いられる同期シーケンスを決定し、
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８であり、
手段２：本ノードの同期リファレンスノードが第３プライオリティのノードである場合、本ノードの同期シーケンスはｉｄ_ｏｏｎ内の同期シーケンスであり、固定値Ｘ２+１６８とされ、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様であり、
手段４：本ノードが独立な同期ソースである場合、[１６８, ３３５]範囲内でランダムに１つの値を選出した本ノードの同期シーケンスとする。
【００１３】
好ましくは、本ノードの同期プライオリティが第１プライオリティである場合、本ノードに用いられる同期シーケンスは、ｅＮＢを介してシステム情報により設定される。
本発明に係る実施例の同期装置は、
本ノードの同期プライオリティを決定する第１ユニットと、
本ノードの同期プライオリティに基づき、本ノードに用いられる同期シーケンス及び本ノードの区分フラグ値を決定し、前記区分フラグ値は、本ノードがＧＮＳＳ同期方式であるかｅＮＢ同期方式であるかを区分するためのものである第２ユニットとを備える。
【００１４】
好ましくは、前記第１ユニットは、本ノードの同期プライオリティを所定の第１プライオリティ、第２プライオリティ、第３プライオリティまたは第４プライオリティとして決定する。
【００１５】
好ましくは、前記第２ユニットは、
本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定し、
本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定し、
本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定し、
本ノードの同期プライオリティが第４プライオリティである場合、本ノードの区分フラグ値をＦａｌｓｅとして決定し、かつ、以下の手段で本ノードに用いられる同期シーケンスを決定し、
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８であり、
手段２：本ノードの同期リファレンスノードが第３プライオリティのノードである場合、本ノードの同期シーケンスを固定値Ｘ３と設定し、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様であり、
手段４：本ノードが独立な同期ソースである場合、Ｘ１及びＸ２以外の[１６８, ３３５]範囲内でランダムに１つの値を選出した本ノードの同期シーケンスとする。
【００１６】
好ましくは、前記第２ユニットは、
本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定し、
本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定し、
本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定し、
本ノードの同期プライオリティが第４プライオリティである場合、本ノードの区分フラグ値とＴｒｕｅとして決定し、かつ、以下の手段で本ノードに用いられる同期シーケンスを決定し、
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８であり、
手段２：本ノードの同期リファレンスノードが第３プライオリティのノードである場合、本ノードの同期シーケンスはｉｄ_ｏｏｎ内の同期シーケンスであり、固定値Ｘ２+１６８とされ、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様であり、
手段４：本ノードが独立な同期ソースである場合、[１６８, ３３５]範囲内でランダムに１つの値を選出した本ノードの同期シーケンスとする。
【００１７】
好ましくは、本ノードの同期プライオリティが第１プライオリティである場合、前記第２ユニットにより決定された本ノードに用いられる同期シーケンスは、ｅＮＢを介してシステム情報により設定される。
【００１８】
本発明に係る実施例の同期装置は、プロセッサを備え、
前期プロセッサは、メモリに格納されたプログラムを読み出して、
本ノードの同期プライオリティを決定し、
本ノードの同期プライオリティに基づき、本ノードに用いられる同期シーケンス及び本ノードの区分フラグ値を決定し、前記区分フラグ値は、本ノードがＧＮＳＳ同期方式であるかｅＮＢ同期方式であるかを区分するためのものである。
【００１９】
好ましくは、前記プロセッサは、本ノードの同期プライオリティを所定の第１プライオリティ、第２プライオリティ、第３プライオリティまたは第４プライオリティとして決定する。
【００２０】
好ましくは、前記プロセッサは、本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定し、
本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定し、
本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定し、
本ノードの同期プライオリティが第４プライオリティである場合、本ノードの区分フラグ値をＦａｌｓｅとして決定し、かつ、以下の手段で本ノードに用いられる同期シーケンスを決定し、
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８であり、
手段２：本ノードの同期リファレンスノードが第３プライオリティのノードである場合、本ノードの同期シーケンスを固定値Ｘ３と設定し、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様であり、
手段４：本ノードが独立な同期ソースである場合、Ｘ１及びＸ２以外の[１６８, ３３５]範囲内でランダムに１つの値を選出した本ノードの同期シーケンスとする。
【００２１】
好ましくは、前記プロセッサは、
本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定し、
本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定し、
本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定し、
本ノードの同期プライオリティが第４プライオリティである場合、本ノードの区分フラグ値とＴｒｕｅとして決定し、かつ、以下の手段で本ノードに用いられる同期シーケンスを決定し、
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８であり、
手段２：本ノードの同期リファレンスノードが第３プライオリティのノードである場合、本ノードの同期シーケンスはｉｄ_ｏｏｎ内の同期シーケンスであり、固定値Ｘ２+１６８とされ、
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様であり、
手段４：本ノードが独立な同期ソースである場合、[１６８, ３３５]範囲内でランダムに１つの値を選出した本ノードの同期シーケンスとする。
【００２２】
好ましくは、本ノードの同期プライオリティが第１プライオリティである場合、前記プロセッサにより決定された本ノードに用いられる同期シーケンスは、ｅＮＢを介してシステム情報により設定される。
【図面の簡単な説明】
【００２３】
【図１】従来のリリース１２（Ｒ１２）同期プライオリティ及びシーケンスを示す図である。
【図２】本発明に係る実施例の同期方法のフローチャートである。
【図３】本発明に係る実施例のＧＮＳＳまたはＧＮＳＳと均等するシステム（ＧＮＳＳ−ｅｑｕｉｖａｌｅｎｔ）同期に基づく同期シーケンス及びｉｎ ｃｏｖｅｒａｇｅフラグの構成を例示する図である。
【図４】本発明に係る実施例のｅＮＢ同期に基づく同期シーケンス及びｉｎ ｃｏｖｅｒａｇｅフラグの構成を例示する図である。
【図５】本発明に係る実施例のｅＮＢ同期に基づく同期シーケンス及びｉｎ ｃｏｖｅｒａｇｅフラグの構成を例示する図である。
【図６】本発明に係る実施例のＧＮＳＳまたはＧＮＳＳ−ｅｑｕｉｖａｌｅｎｔ同期に基づく同期シーケンス及びｉｎ ｃｏｖｅｒａｇｅフラグの構成を例示する図である。
【図７】本発明に係る実施例のｅＮＢ同期に基づく同期シーケンス及びｉｎ ｃｏｖｅｒａｇｅフラグの構成を例示する図である。
【図８】本発明に係る実施例のｅＮＢ同期に基づく同期シーケンス及びｉｎ ｃｏｖｅｒａｇｅフラグの構成を例示する図である。
【図９】本発明に係る実施例の同期装置の構造図である。
【図１０】本発明に係る実施例の他の同期装置の構造図である。
【発明を実施するための形態】
【００２４】
本発明に係る実施例は、同期方法及び装置を提供して、Ｖ２Ｖ通信において同期方式及び同期レベルを区分させる。
【００２５】
本発明に係る実施例の技術案は、Ｖ２Ｖ通信Ｖ２Ｖ通信において同期方式及び同期レベルを区分させることを解決し、Ｖ２Ｖの同期方式において可能な同期レベルは、プライオリティ（Ｐｒｉｏｒｉｔｙ）１ａ、Ｐｒｉｏｒｉｔｙ １，Ｐｒｉｏｒｉｔｙ ２、Ｐｒｉｏｒｉｔｙ ３である。区分フラグ値が導入されることにより、現在システムが基地局定参考のタイミングであるかＧＮＳＳ参考のタイミングであるかを区分し、Ｄ２Ｄ標準の一致さを保つため、Ｉｎ ｃｏｖｅｒａｇｅフラグ値そのままに利用して上述の意味を示し、よって、Ｉｎ ｃｏｖｅｒａｇｅ ｆｌａｇについて、本発明に係る実施例のフラグの野意味は、Ｄ２Ｄシステムと相違する。具体的な区分方法は以下通りである。
【００２６】
＜方法一＞
Ｐｒｉｏｒｉｔｙ １ａ：Ｐｒｉｏｒｉｔｙ １ａのノードのＳＬＳＳ（ＳｉｄｅＬｉｎｋ Ｓｙｎｃｈｒｏｎｉｓａｔｉｏｎ Ｓｉｇｎａｌ，同期信号）フラグ（ＩＤ）は、ｉｄ_ｎｅｔから選出され、ｅＮＢを介してシステム情報により設定され、値の範囲は（Ｘ１−１６８）及び（Ｘ２−１６８）以外のｉｄ_ｎｅｔ集合であり、また、そのＩｎ ｃｏｖｅｒａｇｅフラグ値（ｆｌａｇ）はＴｒｕｅである。
【００２７】
Ｐｒｉｏｒｉｔｙ １：Ｐｒｉｏｒｉｔｙ １のノードのＳＬＳＳ ＩＤは、ｉｄ_ｏｏｎシーケンスから選出され、固定値Ｘ１とし、また、Ｉｎ ｃｏｖｅｒａｇｅ ｆｌａｇ をＦａｌｓｅとする。
【００２８】
Ｐｒｉｏｒｉｔｙ ２：Ｐｒｉｏｒｉｔｙ ２のノードのＳＬＳＳ ＩＤは、ｉｄ_ｏｏｎシーケンスから選出され、固定値Ｘ２とし、かつ、Ｉｎ ｃｏｖｅｒａｇｅ ｆｌａｇ をＦａｌｓｅとする。
【００２９】
Ｐｒｉｏｒｉｔｙ ３：Ｐｒｉｏｒｉｔｙ ３のノードのＩｎ ｃｏｖｅｒａｇｅ ｆｌａｇをＦａｌｓｅとし、Ｐｒｉｏｒｉｔｙ ３のノードのＳＬＳＳ ＩＤは、同期リファレンスＵＥの相違によりそれぞれとなり、具体的な対処方法は以下とおりである。
【００３０】
手段１：Ｐｒｉｏｒｉｔｙ ３のノードの同期リファレンスＵＥは、ｐｒｉｏｒｉｔｙ １ａのノードであり、以下のような２種の対処案がある。
【００３１】
Ｐｒｉｏｒｉｔｙ ３のノードの同期シーケンスは、ｐｒｉｏｒｉｔｙ １ａのノードの同期シーケンスと同様なシーケンスを採用する。
【００３２】
Ｐｒｉｏｒｉｔｙ ３のノードの同期シーケンス値は、ｐｒｉｏｒｉｔｙ １ａのノードのＳＬＳＳ ＩＤ+１６８である。
【００３３】
手段２：Ｐｒｉｏｒｉｔｙ ３のノードの同期リファレンスＵＥは、ｐｒｉｏｒｉｔｙ ２のノードである場合、Ｐｒｉｏｒｉｔｙ ３のノードの同期シーケンスを固定値Ｘ３とする。
【００３４】
手段３：Ｐｒｉｏｒｉｔｙ ３のノードの同期リファレンスＵＥがｐｒｉｏｒｉｔｙ ３のノードである場合、以下の対処態様がある。
【００３５】
態様ａ：Ｐｒｉｏｒｉｔｙ ３のノードの同期リファレンスＵＥに用いられるＳＬＳＳがｉｄ_ｎｅｔ集合に属すれば、Ｐｒｉｏｒｉｔｙ ３のノードに選定された同期シーケンス値は、同期リファレンスＵＥに用いられる同期シーケンスＩＤ+１６８である。
態様ｂ：Ｐｒｉｏｒｉｔｙ ３のノードの同期リファレンスＵＥに用いられるＳＬＳＳがｉｄ_ｏｏｎ集合にぞくすれば、Ｐｒｉｏｒｉｔｙ ３のノードに選定された同期シーケンス値は、同期リファレンスＵＥに用いられるＳＬＳＳ ＩＤと同様である。
手段４：Ｐｒｉｏｒｉｔｙ ３のノードが独立な同期ソースとして、均一に分布され、Ｘ１及びＸ２以外の[１６８, ３３５]範囲からランダムに１つの値を選出してＰｒｉｏｒｉｔｙ ３のノードの同期シーケンス値とする。
【００３６】
＜方法二＞
Ｐｒｉｏｒｉｔｙ １ａ：Ｐｒｉｏｒｉｔｙ １ａのノードのＳＬＳＳ ＩＤは、ｉｄ_ｎｅｔにおけるＸ１及びＸ２以外のシーケンスから選出され、ｅＮＢを介してシステム情報により設定され、かつ、そのＩｎ ｃｏｖｅｒａｇｅ ｆｌａｇをＦａｌｓｅとする。
【００３７】
Ｐｒｉｏｒｉｔｙ １：Ｐｒｉｏｒｉｔｙ １のノードの同期シーケンスは、ｉｄ_ｎｅｔシーケンスから選出され、固定値Ｘ１とし、そのＩｎ ｃｏｖｅｒａｇｅ ｆｌａｇをＴｒｕｅとする。
【００３８】
Ｐｒｉｏｒｉｔｙ ２：Ｐｒｉｏｒｉｔｙ ２のノードの同期シーケンスは、ｉｄ_ｎｅｔシーケンスから選出され、固定値Ｘ２とし、かつ、そのＩｎ ｃｏｖｅｒａｇｅ ｆｌａｇをＴｒｕｅとする。
【００３９】
Ｐｒｉｏｒｉｔｙ ３：Ｐｒｉｏｒｉｔｙ ３のノードのＩｎ ｃｏｖｅｒａｇｅ ｆｌａｇをＴｒｕｅとし、Ｐｒｉｏｒｉｔｙ ３のノードの同期シーケンスは、同期リファレンスＵＥの相違さにより、具体的に以下の通りに対処する。
【００４０】
手段１：Ｐｒｉｏｒｉｔｙ ３のノードの同期リファレンスＵＥはｐｒｉｏｒｉｔｙ １ａのノードであり、Ｐｒｉｏｒｉｔｙ ３のノードの同期シーケンスは具体的に以下２種の対処態様がある。
【００４１】
態様ａ：Ｐｒｉｏｒｉｔｙ ３のノードの同期シーケンスはｉｄ_ｎｅｔから選出され、Ｐｒｉｏｒｉｔｙ ３のノードの同期シーケンスは、ｐｒｉｏｒｉｔｙ １ａのノードに用いられる同期シーケンスと同様なシーケンスを用いる。
【００４２】
態様ｂ：Ｐｒｉｏｒｉｔｙ ３のノードの同期シーケンスはｉｄ_ｏｏｎシーケンスから選出され、Ｐｒｉｏｒｉｔｙ ３のノードの同期シーケンス値は、ｐｒｉｏｒｉｔｙ １ａのノードに用いられる同期シーケンスのＩＤ+１６８である。
【００４３】
手段２：Ｐｒｉｏｒｉｔｙ ３のノードの同期リファレンスＵＥはｐｒｉｏｒｉｔｙ ２のノードである。Ｐｒｉｏｒｉｔｙ ３のノードの同期シーケンスは、ｉｄ_ｏｏｎシーケンスから選出され、具体的に、値がＸ２+１６８である同期シーケンスを選定する。
【００４４】
手段３：Ｐｒｉｏｒｉｔｙ ３のノードの同期リファレンスＵＥはｐｒｉｏｒｉｔｙ ３のノードであれば、Ｐｒｉｏｒｉｔｙ ３のノードの同期シーケンスは以下２種の対処態様を有する。
【００４５】
態様ａ：Ｐｒｉｏｒｉｔｙ ３のノードが受信したｐｒｉｏｒｉｔｙ ３ ＵＥに用いられるＳＬＳＳがｉｄ_ｎｅｔ集合に属すれば、Ｐｒｉｏｒｉｔｙ ３のノードの同期シーケンスはｉｄ_ｏｏｎから選出され、Ｐｒｉｏｒｉｔｙ ３のノードの同期シーケンス値は、リファレンスのｐｒｉｏｒｉｔｙ ３ ＵＥに用いられる同期シーケンスＩＤ+１６８である。
【００４６】
態様ｂ：Ｐｒｉｏｒｉｔｙ ３のノードの同期リファレンスＵＥに用いられるＳＬＳＳがｉｄ_ｏｏｎ集合にぞくすれば、Ｐｒｉｏｒｉｔｙ ３のノードに選定された同期シーケンスは、受信したｐｒｉｏｒｉｔｙ ３ ＵＥに用いられるＳＬＳＳ ＩＤと同様である。
【００４７】
手段４：Ｐｒｉｏｒｉｔｙ ３のノードが独立な同期ソースとして、均一に分布され、ｉｄ_ｏｏｎ [１６８, ３３５]範囲からランダムに１つの値を選出して独立な同期ソースの同期シーケンスとする。
【００４８】
そして、図２に示す本発明に係る実施例の同期方法は、以下のステップを備える。
【００４９】
Ｓ１０１において、本ノードの同期プライオリティを決定する。
【００５０】
Ｓ１０２において、本ノードの同期プライオリティに基づき、本ノードに用いられる同期シーケンス及び本ノードの区分フラグ値を決定する。前記区分フラグ値は、本ノードがＧＮＳＳ同期方式であるかｅＮＢ同期方式であるかを区分するためのものである。
【００５１】
好ましくは、前記本ノードの同期プライオリティを決定するのは、具体的に、本ノードの同期プライオリティを所定の第１プライオリティ、第２プライオリティ、第３プライオリティまたは第４プライオリティとして決定する。
【００５２】
好ましくは、本ノードの同期プライオリティに基づき、本ノードに用いられる同期シーケンス及び本ノードの区分フラグ値を決定するのは、具体的に、本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定する。
【００５３】
また、本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定する。
【００５４】
また、本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定する。
【００５５】
また、本ノードの同期プライオリティが第４プライオリティである場合、本ノードの区分フラグ値をＦａｌｓｅとして決定し、かつ、以下の手段で本ノードに用いられる同期シーケンスを決定する。
【００５６】
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８である。
【００５７】
手段２：本ノードの同期リファレンスノードが第３プライオリティのノードである場合、本ノードの同期シーケンスを固定値Ｘ３と設定する。
【００５８】
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様である。
【００５９】
手段４：本ノードが独立な同期ソースである場合、Ｘ１及びＸ２以外の[１６８, ３３５]範囲内でランダムに１つの値を選出した本ノードの同期シーケンスとする。
【００６０】
好ましくは、本ノードの同期プライオリティに基づき、本ノードに用いられる同期シーケンス及び本ノードの区分フラグ値を決定するのは、本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定する。
【００６１】
また、本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定する。
【００６２】
また、本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定する。
【００６３】
また、本ノードの同期プライオリティが第４プライオリティである場合、本ノードの区分フラグ値とＴｒｕｅとして決定し、かつ、以下の手段で本ノードに用いられる同期シーケンスを決定する。
【００６４】
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８である。
【００６５】
手段２：本ノードの同期リファレンスノードが第３プライオリティのノードである場合、本ノードの同期シーケンスはｉｄ_ｏｏｎ内の同期シーケンスであり、固定値Ｘ２+１６８とされる。
【００６６】
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様である。
【００６７】
手段４：本ノードが独立な同期ソースである場合、[１６８, ３３５]範囲内でランダムに１つの値を選出した本ノードの同期シーケンスとする。
【００６８】
好ましくは、本ノードの同期プライオリティが第１プライオリティである場合、本ノードに用いられる同期シーケンスは、ｅＮＢを介してシステム情報により設定される。
【００６９】
以下、具体的な実施例を挙げて説明する。
【００７０】
実施例１：ＧＮＳＳまたはＧＮＳＳ−ｅｑｕｉｖａｌｅｎｔに基づく同期。
具体的な実施は図３に示すように、ＧＮＳＳまたはＧＮＳＳ−ｅｑｕｉｖａｌｅｎｔ同期に基づく同期プライオリティは、ネットワークカバレッジ範囲を関係せず、ｉｎ ｃｏｖｅｒａｇｅフラグでカバレッジ範囲内、部分的なカバレッジ範囲、カバレッジ範囲以外の情報を示す必要がないため、ｉｎ ｃｏｖｅｒａｇｅフラグをＦＡＬＳＥとして、ＧＮＳＳまたはＧＮＳＳ−ｅｑｕｉｖａｌｅｎｔに基づき同期処理を行うことを示す。
【００７１】
３つの同期プライオリティについてＳＬＳＳにより区分する必要があり、Ｒ１２ Ｄ２ＤのＳＬＳＳ設計をなるべく利用し、具体的なＳＬＳＳ対処は以下通りである。
【００７２】
Ｐｒｉｏｒｉｔｙ １のノード：ｉｄ_ｏｏｎシーケンスからＳＬＳＳ ＩＤを選出し、固定値Ｘ１とし、かつ、Ｉｎ ｃｏｖｅｒａｇｅ ｆｌａｇをＦａｌｓｅとする。
【００７３】
Ｐｒｉｏｒｉｔｙ ２のノード：ｉｄ_ｏｏｎシーケンスからＳＬＳＳ ＩＤを選出し、固定値Ｘ２とし、かつ、Ｉｎ ｃｏｖｅｒａｇｅ ｆｌａｇをＦａｌｓｅとする。
【００７４】
Ｐｒｉｏｒｉｔｙ ３のノード：そのＩｎ ｃｏｖｅｒａｇｅ ｆｌａｇをＦａｌｓｅとし、ｉｄ_ｏｏｎシーケンスからＳＬＳＳ ＩＤを選出し、同期リファレンスＵＥの相違さにより、以下のように設定する。
【００７５】
同期リファレンスＵＥがｐｒｉｏｒｉｔｙ ２のノードである場合、ｉｄ_ｏｏｎシーケンスからＳＬＳＳ ＩＤを選出し、固定値Ｘ３とする。
【００７６】
同期リファレンスＵＥがｐｒｉｏｒｉｔｙ ３のノードである場合、受信したｐｒｉｏｒｉｔｙ ３ ＵＥのＳＬＳＳ ＩＤと同様である。
【００７７】
独立な同期ソースのノードとする場合、均一に分布され、[１６８, ３３５]範囲から、ランダムにｉｄ_ｏｏｎ範囲内の１つの値を選出して、独立な同期ソースの同期シーケンスとする。
【００７８】
実施例２：ｅＮＢに基づく同期。
具体的な実施は図４に示すように、ｅＮＢに基づく同期の場合、ノードは４つのプライオリティを有する。ｐｒｉｏｒｉｔｙ １、２、３は、実施例１のＧＮＳＳまたはＧＮＳＳ−ｅｑｕｉｖａｌｅｎｔに基づくフラグの対処方法と同様である。
【００７９】
Ｐｒｉｏｒｉｔｙ １ａノードのＳＬＳＳＩＤはｉｄ_ｎｅｔから選出され、ｅＮＢを介してシステム情報により設定され、値の範囲は（Ｘ１−１６８）及び（Ｘ２−１６８）以外のｉｄ_ｎｅｔ集合であり、かつ、Ｉｎ ｃｏｖｅｒａｇｅ ｆｌａｇをＴｒｕｅとする。
【００８０】
Ｐｒｉｏｒｉｔｙ １またはＰｒｉｏｒｉｔｙ ２のノードのＳＬＳＳ ＩＤ値の取り方は、実施例１のＧＮＳＳまたはＧＮＳＳ−ｅｑｕｉｖａｌｅｎｔに基づくＳＬＳＳ ＩＤの対処方法と同様である。
【００８１】
Ｐｒｉｏｒｉｔｙ ３のノード：
同期リファレンスＵＥがｐｒｉｏｒｉｔｙ １ａのノードである場合、同期リファレンスのｐｒｉｏｒｉｔｙ １ａのノードに用いられる同期シーケンスＩＤ+１６８を利用する。
【００８２】
同期リファレンスＵＥがｐｒｉｏｒｉｔｙ ２のノードである場合、ｉｄ_ｏｏｎシーケンスから選出され、固定値Ｘ３とする，かつ、Ｉｎ ｃｏｖｅｒａｇｅ ｆｌａｇをＦａｌｓｅとする。
【００８３】
同期リファレンスＵＥがｐｒｉｏｒｉｔｙ ３のノードであり、かつ用いられるＳＬＳＳがｉｄ_ｏｏｎ集合に属する場合、用いるＳＬＳＳ ＩＤは、受信したｐｒｉｏｒｉｔｙ ３ ＵＥのＳＬＳＳ ＩＤと同様である。
【００８４】
独立な同期ソースのノードである場合、均一に分布され、[１６８, ３３５]範囲からｉｄ_ｏｏｎ範囲内の１つの値をランダムに選出して、独立な同期ソースの同期シーケンスとする。
【００８５】
実施例３：ｅＮＢに基づく同期。
具体的な実施は図５に示すように、ｅＮＢに基づく同期の場合、ノードは４つのプライオリティを有する。ｐｒｉｏｒｉｔｙ １、２、３は、実施例１のＧＮＳＳまたはＧＮＳＳ−ｅｑｕｉｖａｌｅｎｔに基づくフラグの対処方法と同様である。
【００８６】
Ｐｒｉｏｒｉｔｙ １ａノードのＳＬＳＳ ＩＤはｉｄ_ｎｅｔから選出され、ｅＮＢを介してシステム情報により設定され、値範囲は（Ｘ１−１６８）及び（Ｘ２−１６８）以外のｉｄ_ｎｅｔ集合であり、かつ、そのＩｎ ｃｏｖｅｒａｇｅ ｆｌａｇをＴｒｕｅとする。
【００８７】
Ｐｒｉｏｒｉｔｙ １またはＰｒｉｏｒｉｔｙ ２のノードのＳＬＳＳ ＩＤ値の取り方は、実施例１のＧＮＳＳまたはＧＮＳＳ−ｅｑｕｉｖａｌｅｎｔに基づくＳＬＳＳ ＩＤの対処方法と同様である。
【００８８】
Ｐｒｉｏｒｉｔｙ ３ノード：
Ｐｒｉｏｒｉｔｙ ３ノード同期リファレンスＵＥがｐｒｉｏｒｉｔｙ １ａのノードである場合、Ｐｒｉｏｒｉｔｙ ３ノードはｉｄ_ｎｅｔから同期シーケンスを選出し、同期シーケンスは、ｐｒｉｏｒｉｔｙ １ａのノードに用いられる同期シーケンスと同様なシーケンスを用いる。
【００８９】
Ｐｒｉｏｒｉｔｙ ３ノード同期リファレンスＵＥがｐｒｉｏｒｉｔｙ ２のノードである場合、Ｐｒｉｏｒｉｔｙ ３ノードはｉｄ_ｏｏｎシーケンスから同期シーケンスを選出し、同期シーケンス固定値Ｘ３とする。また、そのＩｎ ｃｏｖｅｒａｇｅ ｆｌａｇ をＦａｌｓｅとする。
【００９０】
Ｐｒｉｏｒｉｔｙ ３ノード同期リファレンスＵＥがｐｒｉｏｒｉｔｙ ３のノードであり、かつ用いられるＳＬＳＳがｉｄ_ｎｅｔ集合に属する場合、ＵＥに選定された同期シーケンス値は、同期リファレンスＵＥに用いられる同期シーケンスＩＤ+１６８である。
【００９１】
独立な同期ソースのノードである場合、均一に分布され、[１６８, ３３５]範囲からｉｄ_ｏｏｎ範囲内の１つの値をランダムに選出して独立な同期ソースの同期シーケンスとする。
【００９２】
実施例４：
具体的な実施は図６に示すように、３つの同期プライオリティはＳＬＳＳにより区分され、Ｒ１２ Ｄ２ＤのＳＬＳＳ設計をなるべく利用し、具体的なＳＬＳＳ対処案は以下のとおりである。
Ｐｒｉｏｒｉｔｙ １のノード：同期シーケンスはｄ_ｎｅｔシーケンスから選出され、固定値Ｘ１とし、 かつ、Ｉｎ ｃｏｖｅｒａｇｅ ｆｌａｇをＴｒｕｅとする。
Ｐｒｉｏｒｉｔｙ ２のノード：同期シーケンスはｄ_ｎｅｔシーケンスから選出され、固定値Ｘ２とし、 かつ、Ｉｎ ｃｏｖｅｒａｇｅ ｆｌａｇをＴｒｕｅとする。
Ｐｒｉｏｒｉｔｙ ３のノード：Ｉｎ ｃｏｖｅｒａｇｅ ｆｌａｇをＴｒｕｅとし、同期シーケンスはｉｄ_ｏｏｎシーケンスから選出され、具体的には、同期リファレンスＵＥの相違さにより、以下のように設定する。
【００９３】
同期リファレンスＵＥがｐｒｉｏｒｉｔｙ ２のノードである場合、値がＸ２+１６８である同期シーケンスを選定する。
【００９４】
同期リファレンスＵＥがｐｒｉｏｒｉｔｙ ３のノードである場合、用いる同期シーケンスは受信したｐｒｉｏｒｉｔｙ ３ ＵＥのＳＬＳＳ ＩＤと同様である。
【００９５】
独立な同期ソースのノードである場合、均一に分布され、[１６８, ３３５]範囲からｉｄ_ｏｏｎ範囲内の１つの値をランダムに選出して独立な同期ソースの同期シーケンスとする。
【００９６】
実施例５：
具体的な実施は図7に示すように、ｅＮＢに基づく同期の場合、ノードは４つのプライオリティを有し、ｐｒｉｏｒｉｔｙ １、２、３は、実施例４のＧＮＳＳまたはＧＮＳＳ−ｅｑｕｉｖａｌｅｎｔに基づくフラグの対処方法と同様である。
【００９７】
Ｐｒｉｏｒｉｔｙ １ａノードのＳＬＳＳ ＩＤは、ｉｄ_ｎｅｔ内のＸ１及びＸ２以外の値から選出され、ｅＮＢを介してシステム情報により設定され、かつ、Ｉｎ ｃｏｖｅｒａｇｅ ｆｌａｇをＦａｌｓｅとする。
【００９８】
Ｐｒｉｏｒｉｔｙ １またはＰｒｉｏｒｉｔｙ ２ノードのＳＬＳＳ ＩＤ値の取り方は実施例４のＧＮＳＳまたはＧＮＳＳ−ｅｑｕｉｖａｌｅｎｔに基づくＳＬＳＳＩＤの対処方法と同様であり、かつ、Ｉｎ ｃｏｖｅｒａｇｅ ｆｌａｇをＴｒｕｅとする。
【００９９】
Ｐｒｉｏｒｉｔｙ ３ノードの場合、Ｉｎ ｃｏｖｅｒａｇｅ ｆｌａｇをＴｒｕｅとし、かつ、その同期シーケンスの対処は以下の通りである。
【０１００】
同期リファレンスＵＥがｐｒｉｏｒｉｔｙ １ａのノードである場合、同期リファレンスのｐｒｉｏｒｉｔｙ １ａのノードに用いられる同期シーケンスＩＤ+１６８を用いる。
【０１０１】
同期リファレンスＵＥがｐｒｉｏｒｉｔｙ ２のノードである場合、値がＸ２+１６８である同期シーケンスを選定する。
【０１０２】
同期リファレンスＵＥがｐｒｉｏｒｉｔｙ ３のノードであり、かつ、用いるＳＬＳＳがｉｄ_ｏｏｎ集合に属する場合、用いる同期シーケンスは、受信したｐｒｉｏｒｉｔｙ ３ ＵＥのＳＬＳＳ ＩＤと同様である。
【０１０３】
独立な同期ソースの場合、均一に分布され、[１６８, ３３５]範囲からｉｄ_ｏｏｎ範囲内の１つの値をランダムに選出して独立な同期ソースとする。
【０１０４】
実施例６：
具体的な実施は図８に示すように、ｅＮＢに基づく同期の場合、ノードは４つのプライオリティを有し、ｐｒｉｏｒｉｔｙ １、２、３は、実施例４のＧＮＳＳまたはＧＮＳＳ−ｅｑｕｉｖａｌｅｎｔに基づくフラグの対処方法と同様である。
【０１０５】
Ｐｒｉｏｒｉｔｙ １ａノードのＳＬＳＳＩＤは、ｉｄ_ｎｅｔ内のＸ１及びＸ２以外の値から選出され、ｅＮＢを介してシステム情報により設定され、かつ、Ｉｎ ｃｏｖｅｒａｇｅ ｆｌａｇをＦａｌｓｅとする。
【０１０６】
Ｐｒｉｏｒｉｔｙ １またはＰｒｉｏｒｉｔｙ ２ノードのＳＬＳＳ ＩＤ値の取り方は、実施例４のＧＮＳＳまたはＧＮＳＳ−ｅｑｕｉｖａｌｅｎｔに基づくＳＬＳＳＩＤの対処方法と同様であり、かつ、Ｉｎ ｃｏｖｅｒａｇｅ ｆｌａｇをＴｒｕｅとする。
【０１０７】
Ｐｒｉｏｒｉｔｙ ３ノードの場合、Ｉｎ ｃｏｖｅｒａｇｅ ｆｌａｇをＴｒｕｅとし、その同期シーケンスを以下通りに対処する。
【０１０８】
同期リファレンスＵＥがｐｒｉｏｒｉｔｙ １ａのノードである場合、ｉｄ_ｎｅｔから選出され、同期シーケンスは、同期リファレンスのｐｒｉｏｒｉｔｙ １ａのノードに用いられる同期シーケンスと同様なシーケンスを用いる。
【０１０９】
同期リファレンスＵＥがｐｒｉｏｒｉｔｙ ２のノードである場合、値がＸ２+１６８である同期シーケンスを選定する。
同期リファレンスＵＥがｐｒｉｏｒｉｔｙ ３のノードであり、かつ、用いられるＳＬＳＳがｉｄ_ｎｅｔ集合に属する場合、ＵＥが選定した同期シーケンスは、ｉｄ_ｏｏｎから選出され、値は、同期リファレンスのｐｒｉｏｒｉｔｙ ３のＵＥに用いられる同期シーケンスＩＤ+１６８である。
【０１１０】
独立な同期ソースとするノードの場合、均一に分布され、[１６８, ３３５]範囲からｉｄ_ｏｏｎ範囲内の１つの値をランダムに選出して独立な同期ソースの同期シーケンスとする。
【０１１１】
上述の方法に応じて、図９に示す本発明に係る実施例の同期装置は、本ノードの同期プライオリティを決定する第１ユニット１１と、本ノードの同期プライオリティに基づき、本ノードに用いられる同期シーケンス及び本ノードの区分フラグ値を決定し、前記区分フラグ値は、本ノードがＧＮＳＳ同期方式であるかｅＮＢ同期方式であるかを区分するためのものである第２ユニット１２とを備える。
【０１１２】
好ましくは、前記第１ユニットは、本ノードの同期プライオリティを所定の第１プライオリティ、第２プライオリティ、第３プライオリティまたは第４プライオリティとして決定し。
【０１１３】
好ましくは、前記第２ユニットは、本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定する。
【０１１４】
また、本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定する。
【０１１５】
また、本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定する。
【０１１６】
また、本ノードの同期プライオリティが第４プライオリティである場合、本ノードの区分フラグ値をＦａｌｓｅとして決定し、かつ、以下の手段で本ノードに用いられる同期シーケンスを決定する。
【０１１７】
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８である。
【０１１８】
手段２：本ノードの同期リファレンスノードが第３プライオリティのノードである場合、本ノードの同期シーケンスを固定値Ｘ３と設定する。
【０１１９】
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様である。
【０１２０】
手段４：本ノードが独立な同期ソースである場合、Ｘ１及びＸ２以外の[１６８, ３３５]範囲内でランダムに１つの値を選出した本ノードの同期シーケンスとする。
【０１２１】
好ましくは、前記第２ユニットは、本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定する。
【０１２２】
また、本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定する。
【０１２３】
また、本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定する。
【０１２４】
また、本ノードの同期プライオリティが第４プライオリティである場合、本ノードの区分フラグ値とＴｒｕｅとして決定し、かつ、以下の手段で本ノードに用いられる同期シーケンスを決定する。
【０１２５】
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８である。
【０１２６】
手段２：本ノードの同期リファレンスノードが第３プライオリティのノードである場合、本ノードの同期シーケンスはｉｄ_ｏｏｎ内の同期シーケンスであり、固定値Ｘ２+１６８とされる。
【０１２７】
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様である。
【０１２８】
手段４：本ノードが独立な同期ソースである場合、[１６８, ３３５]範囲内でランダムに１つの値を選出した本ノードの同期シーケンスとする。
【０１２９】
好ましくは、本ノードの同期プライオリティが第１プライオリティである場合、前記第２ユニットにより決定された本ノードに用いられる同期シーケンスは、ｅＮＢを介してシステム情報により設定される。
【０１３０】
図１０に示す本発明に係る実施例は他の同期装置を提供し、当該同期装置は、プロセッサ６００と、送受信機６１０とを備える。
【０１３１】
前記プロセッサ６００は、メモリ６２０に格納されたプログラムを読み出して、本ノードの同期プライオリティを決定し、本ノードの同期プライオリティに基づき、本ノードに用いられる同期シーケンス及び本ノードの区分フラグ値を決定する。前記区分フラグ値は、本ノードがＧＮＳＳ同期方式であるかｅＮＢ同期方式であるかを区分するためのものである。
【０１３２】
好ましくは、前記プロセッサ６００本ノードの同期プライオリティを決定するのは、具体的に、本ノードの同期プライオリティを所定の第１プライオリティ、第２プライオリティ、第３プライオリティまたは第４プライオリティとして決定する。
【０１３３】
好ましくは、前記プロセッサ６００がは、本ノードの同期プライオリティに基づき、本ノードに用いられる同期シーケンス及び本ノードの区分フラグ値を決定するのは、具体的に、本ノードの同期プライオリティが第１プライオリティである場合、本ノードに用いられる同期シーケンスと（Ｘ１−１６８）及び（Ｘ２−１６８）以外のｉｄ_ｎｅｔ内の同期シーケンスとして決定し、かつ、本ノードの区分フラグ値をＴｒｕｅとして決定する。
【０１３４】
また、本ノードの同期プライオリティが第２プライオリティである場合、本ノードに用いられる同期シーケンスをｉｄ_ｏｏｎ内の同期シーケンスＸ１として決定し、かつ、本ノードの区分フラグ値をＦａｌｓｅとして決定する。
【０１３５】
また、本ノードの同期プライオリティが第３プライオリティである場合、本ノードに用いられる同期シーケンスをｉｄ_ｏｏｎ内の同期シーケンスＸ２として決定し、かつ本ノードの区分フラグ値をＦａｌｓｅとして決定する。
【０１３６】
また、本ノードの同期プライオリティが第４プライオリティである場合、本ノードの区分フラグ値をＦａｌｓｅとして決定し、かつ、以下の手段で本ノードに用いられる同期シーケンスを決定する。
【０１３７】
手段１：本ノードの同期リファレンスノードが第１プライオリティのノードである場合、本ノードの同期シーケンスには、同期リファレンスノードに用いられる同期シーケンスと同様なシーケンスが用いられ、または、本ノードの同期シーケンスは、同期リファレンスノードに用いられる同期シーケンス+１６８である。
【０１３８】
手段２：本ノードの同期リファレンスノードが第３プライオリティのノードである場合、本ノードの同期シーケンスを固定値Ｘ３と設定する。
【０１３９】
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様である。
【０１４０】
手段４：本ノードが独立な同期ソースである場合、Ｘ１及びＸ２以外の[１６８, ３３５]範囲内でランダムに１つの値を選出した本ノードの同期シーケンスとする。
【０１４１】
好ましくは、前記プロセッサ６００が、本ノードの同期プライオリティに基づき、本ノードに用いられる同期シーケンス及び本ノードの区分フラグ値を決定するのは、具体的に、本ノードの同期プライオリティが第１プライオリティである場合、本ノードに用いられる同期シーケンスをｉｄ_ｎｅｔ内のＸ１及びＸ２以外の同期シーケンスとして決定し、かつ本ノードの区分フラグ値をＦａｌｓｅとして決定する。
【０１４２】
また、本ノードの同期プライオリティが第２プライオリティである場合、本ノードに用いられる同期シーケンスをｉｄ_ｎｅｔ内の同期シーケンスＸ１として決定し、かつ、本ノードの区分フラグ値をＴｒｕｅとして決定する。
【０１４３】
また、本ノードの同期プライオリティが第３プライオリティである場合、本ノードに用いられる同期シーケンスをｉｄ_ｎｅｔ内の同期シーケンスＸ２として決定し、かつ、本ノードの区分フラグ値をＴｒｕｅとして決定する。
【０１４４】
また、本ノードの同期プライオリティが第４プライオリティである場合、本ノードの区分フラグ値とＴｒｕｅとして決定し、かつ、以下の手段で本ノードに用いられる同期シーケンスを決定する。
【０１４５】
手段１：本ノードの同期リファレンスノードが第１プライオリティのノードである場合、本ノードの同期シーケンスがｉｄ_ｎｅｔ内の同期シーケンスであり、前記同期リファレンスノードに用いられる同期シーケンスと同様なシーケンスを採用し、または、本ノードの同期シーケンスはｉｄ_ｏｏｎ内の同期シーケンスであり、かつ、本ノードの同期シーケンスは、前記同期リファレンスノードに用いられる同期シーケンス+１６８である。
【０１４６】
手段２：本ノードの同期リファレンスノードが第３プライオリティのノードである場合、本ノードの同期シーケンスはｉｄ_ｏｏｎ内の同期シーケンスであり、固定値Ｘ２+１６８とされる。
【０１４７】
手段３：本ノード同期リファレンスノードが第４プライオリティのノードである場合、本ノードの同期リファレンスノードに用いられる同期シーケンスがｉｄ_ｎｅｔ集合に属すれば、本ノードに用いられる同期シーケンスはｉｄ_ｏｏｎ内の同期シーケンスであり、本ノードに用いられる同期シーケンスは、前記同期リファレンスノードに用いられる同期シーケンス+１６８であり、または、本ノードの同期リファレンスノードに用いられる同期シーケンスがｉｄ_ｏｏｎ集合に属すれば、本ノードに用いられる同期シーケンスが前記同期リファレンスシーケンスに用いられる同期シーケンスと同様である。
【０１４８】
手段４：本ノードが独立な同期ソースである場合、[１６８, ３３５]範囲内でランダムに１つの値を選出した本ノードの同期シーケンスとする。
【０１４９】
好ましくは、本ノードの同期プライオリティが第１プライオリティである場合、前記プロセッサ６００により本ノードに用いられる同期シーケンスを決定するのは、ｅＮＢを介してシステム情報により設定されることである。
【０１５０】
前記送受信機６１０は、プロセッサ６００の制御によりデータを送受信する。
【０１５１】
図１０において、バスアーキテクチャは、いずれ数の相互接続するバス及びブリッジを備える。具体的に、プロセッサプロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１５２】
プロセッサ６００は、バズアーキテクチャ及び通常の処理を監視し、メモリ６２０は、プロセッサ６００が動作する際に利用するデータを記憶することができる。
【０１５３】
プロセッサ６００は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ Ｐｒｏｇｒａｍｍａｂｌｅ Ｌｏｇｉｃ Ｄｅｖｉｃｅ）であることができる。
【０１５４】
上述したように、本発明に係る実施例はＶ２Ｖにおいて同期方式及び同期レベルを区分する方法を提供する。当該方法ＧＮＳＳまたはｅＮＢに基づく２種の同期方式を互換することができ、かつ従来の規準をあまり変えていないため、端末が異なる同期レベルを区分することに有利であり、これにより、Ｖ２Ｖ通信システムの同期を快速に達成できる。
【０１５５】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【０１５６】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０１５７】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０１５８】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０１５９】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０１６０】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【０１６１】
本出願は、２０１６年１月２９日に中国特許局に提出し、出願番号が２０１６１００６7２１３.５であり、発明名称が「同期方法及び装置」との中国特許出願を基礎とする優先権を主張し、その開示の総てをここに取り込む。
【符号の説明】
【０１６２】
１１  第１ユニット
１２  第２ユニット
６００  プロセッサ
６１０  送受信機
６２０  メモリ
６３０  ユーザーインターフェース
【図１】
2019505128.tif 000003
【図２】
2019505128.tif 000004
【図３】
2019505128.tif 000005
【図４】
2019505128.tif 000006
【図５】
2019505128.tif 000007
【図６】
2019505128.tif 000008
【図７】
2019505128.tif 000009
【図８】
2019505128.tif 000010
【図９】
2019505128.tif 000011
【図１０】
2019505128.tif 000012
【国際調査報告】
2019505128.tif 000013
2019505128.tif 000014
2019505128.tif 000015
2019505128.tif 000016